(57)【要約】      （修正有）【課題】コアレスコイル発電機を提供する。【解決手段】互いに対向する一対の角板形状の外枠と互いに対向する面に配置の複数磁石と磁石の互いに対向する間に回転自在に配置された回転板と回転板において磁石に対向に円周方向に配置の複数のコアレスコイルと回転板が外力によって起電され、コアレスコイルから流れる電流の配線のコンデンサーとを備え、外枠は、磁気誘導性の素材で角板形状の中心に回転軸の入る孔があり磁石は、その孔の円周方向に複数の磁石が交互に極を変えて固定、対向する磁石は吸引する様に配置し、回転板は無磁性体の素材で円板形状に形成され、回転軸に固定され、絶縁導線が扇形に、交互に巻かれ回転板の複数の凹みに固定し、配線を一方の回転軸の中を通し一方の接点に接続し、他方配線も回転軸の中を通して他方接点に接続、接点より延びる配線を設け、コンデンサーは、４個接点より延びる配線に直列に取付け、電流の位相を２２５°進める。【選択図】図１
0003225048.tif 000002
【実用新案登録請求の範囲】
【請求項１】
互いに対向する一対の角板形状の外枠と、外枠の互いに対向する面に配置された複数の磁石と、磁石の互いに対向する間に回転自在に配置された回転板と、回転板において磁石に対向する様に円周方向に配置された複数のコアレスコイルと、回転板が外力によって回される事で起電され、コアレスコイルから流れる電流の配線に付く複数のコンデンサーと、を、備え、
外枠は、磁気誘導性を有する素材で、角板形状の中心に回転軸の入る孔があり磁石は、その孔の円周方向に複数の磁石が交互に極を変えて固定され、対向する磁石は、吸引する様に配置し、
回転板は、無磁性体の素材で、円板形状に形成され、複数のコアレスコイルの入る凹みがあり、回転軸に固定され
コアレスコイルは、絶縁された導線が扇形に、右巻き左巻きと、交互に巻かれ回転板の複数の凹みにコアレスコイルを固定し、配線を一方の回転軸の中を通し一方の接点に接続し、他方の配線も回転軸の中を通して他方の接点に接続、接点より延びる配線を設け、コンデンサーは、起電する電流の波形が１８０°置きにＮ・Ｓ・Ｎ・Ｓ・と連続して流れる交流に、１個付けると９０°進み２個以上は４５°ずつしか進まない為コンデンサーを４個接点より延びる配線に直列に取付け、電流の位相を２２５°進めるコアレスコイル発電機。
【考案の詳細な説明】
【技術分野】
【０００１】  発電に関する。
【背景の技術】
【０００２】  現在の発電機は、電流を使用すると回転が重くなり発電の効率が低下している。
【先行技術文献】
【特許文献】
【０００３】
【文献１】
登録実用新案公報第３２２０５１１
【考案の概要】
【考案が解決しようとする課題】
【０００４】  磁石の磁力で発電する時、コイルの磁力が強くなると、回転の負荷が多くなりエネルギーを浪費している、これを減らす事が目的であり部品なども減らす為
【課題を解決するための手段】
【０００５】  互いに対向する一対の角板形状の外枠と、外枠の互いに対向する面に配置された複数の磁石と、磁石の互いに対向する間に回転自在に配置された回転板と、回転板において磁石に対向する様に円周方向に配置された複数のコアレスコイルと、回転板が外力によって回される事で起電され、コアレスコイルから流れる電流の配線は付く複数のコンデンサーと、を、備え、
外枠は、磁気誘導性を有する素材で、角板形状の中心に回転軸の入る孔があり磁石は、その孔の円周方向に複数の磁石が交互に極を変えて固定され、対向する磁石は、吸引する様に配置し
回転板は、無磁性体の素材で、円板形状に形成され、複数のコアレスコイルの入る凹みがあり、回転軸に固定され
コアレスコイルは、絶縁された導線が扇形に、右巻き左巻きと、交互に巻かれ回転板の複数の凹みにコアレスコイルを固定し、配線を一方の回転軸の中を通し一方の接点に接続し、他方の配線も回転軸の中を通して他方の接点に接続、接点より延びる配線を設け、コンデンサーは、起電する電流の波形が１８０°置きにＮ・Ｓ・Ｎ・Ｓ・と連続して流れる交流に、１個付けると９０°進み２個以上は４５°ずつしか進まない為コンデンサーを４個接点より延びる配線に直列に取付け、電流の位相を２２５°進めるコアレスコイル発電機。【０００６】  交互に異極が複数対向する間を、回転方向へ回るコアレスコイルの両端が異極を通過し両側の磁束を同時に切って起電されて出る電流にコンデンサーを取付けて電流の位相を進ませる為、コンデンサーで２２５°進めるのに、４個のコンデンサーが必要となる。【０００７】  位相をずらす事ができれば、コアレスコイルで起電する電流の位相を１８０°進める為、コンデンサーを３個付けコアレスコイルが回転方向Ｎ極に進むと、コアレスコイルの一方の面が、Ｓ磁力となりＮ極に吸引されＳ極に反発となる、他方の面は、その逆となる、これに力卒を良くする為コンデンサーを４個にして直列に接点より延びる配線に取付け電流の位相を２２５°進めると空回転と同じ回転となる。
【考案の効果】
【０００８】  交互に異極の磁石が複数対向する間を、コアレスコイルの付く回転板を配置して、出る電流をショートさせた状態で回転させると、空回転の回転が３６回転する時、３回転しか回りません、この出る電流にコンデンサーを接点より延びる配線に４個を直列に接続し、回転させると３６回転となり電流量も変わりません、２２５°電流の位相を進めると軽く回る。【０００９】
0003225048.tif 000003
【図面の簡単な説明】
【０００１０】
【図１】  本体側面図
【図２】  回転板
【考案を実施するための形態】
【０００１１】  互いに対向する一対の角板形状の外枠１と、外枠１の互いに対向する面に配置された複数の磁石２と、磁石２の互いに対向する間に回転自在に配置された回転板３と、回転板３において磁石２に対向する様に円周方向に配置された複数のコアレスコイル４と、回転板３が外力によって回される事で起電されコアレスコイル４から流れる電流の配線に付く複数のコンデンサー５と、を、備え、
外枠１は、磁気誘導性を有する素材で、角板形状の中心に回転軸の入る孔があり、その孔の円周方向に複数の磁石が交互に極を変えて固定され、対向する磁石２は、吸引する様に配置し
回転板３は、無磁性体の素材で、円板形状に形成され、複数のコアレスコイル４の入る凹みが複数あり回転軸７、に固定され、
コアレスコイル４は、絶縁された導線が扇形に右巻き左巻きと交互に巻かれ、回転板３の複数の凹みに、コアレスコイル４を固定し、配線を一方の回転軸７の中を通して一方の接点に、接続して、他方の配線も回転軸７の中を通して、他方の接点に接続、接点より延びる配線を設け、コンデンサー５は、起電する電流の波形が１８０°置きにＮ・Ｓ・Ｎ・Ｓ・と連続して流れる交流に、１個付けると９０°進み２個以上は４５°ずつしか進まない為コンデンサー５を４個接点８より延びる配線に直列に取付け、電流の位相を２２５°進めるコアレスコイル発電機。
【００１２】  交互に異極が複数対向する間を、コアレスコイル４の両端が、回転方向へ異極を通過し両方の磁束を同時に切って、起電する電流にコンデンサー５を取付けて電流の位相を進ませる為、コンデンサー５で２２５°進めるのに４個のコンデンサー５が必要となる。
【００１３】  位相を、ずらす事ができれば、コアレスコイル４で起電する電流の位相を、１８０°進める為コンデンサー５を３個付けコアレスコイル４が進行方向のＮ極２、右に進むとコアレスコイル４の一方側の面がＳ磁力となりＮ極２、右に吸引されてＳ極２、左に反発する、他方側は逆になる、力卒を高上させる為、コンデンサー５を４個取付けて２２５°位相を進める
【００１４】  回転板３の両側に中継リングを設け接点にしても良い。
【００１５】  コンデンサー５を４個直列に登録第３２２０５１１に取付けると、回転が尚軽く回る。
【符号の説明】
【００１６】  １  外枠
２  磁石
３  回転板
４  コアレスコイル
５  コンデンサー  （４個）
６  プーリー
７  回転軸      （一方側と他方側）
８  接点        （一方側と他方側）
【図１】
0003225048.tif 000004
【図２】
0003225048.tif 000005